(57)【要約】      （修正有）【課題】簡単な構造と小型で軽量であり、簡易的な着脱、持ち運びは容易であり、設置する場合、専門的な大掛かりな工事が必要でない降雨検知雨避け装置の提供。【解決手段】物干し台の近傍の雨のあたる所に雨検知用のセンサー部を設置し、物干し台に、折り畳み式骨組みと雨避けシートとシート巻き上げ紐を制御する本体部を設置する。雨検知をして、雨避けシートを自動的に広げ物干しに干されている洗濯物等を保護する。さらに、折り畳み式骨組み、雨避けシートを組立式にして、簡易的な着脱、持ち運びができ、専門的な工事を不要とした。【選択図】図２
0003111355.tif 000002
【実用新案登録請求の範囲】
【請求項１】
本考案は、センサー部と、本体部、折り畳み式骨組み、骨組み固定金具、雨避けシート、シート巻き上げ紐で構成され、センサー部は物干し台の近傍の雨の当たる所に設置し、本体部、折り畳み式骨組み、骨組み固定金具、雨避けシート、シート巻き上げ紐は物干し台に取り付け、降雨時に洗濯物が雨に濡ないようにした降雨検知雨避け装置。
【考案の詳細な説明】
【考案の詳細な説明】
【技術分野】
【０００１】  本考案は、庭先、ベランダ、屋上に置かれた物干し台に干された洗濯物等の降雨検知による雨濡れ防止に関する。
【背景技術】
【０００２】  従来、降雨検知による雨避け装置で、一般家庭の物干し台に取り付けて使用する簡易的な雨避け装置はなく、大掛かりな農業用の温室や、住宅の窓の開閉ための装置だけであった。
【考案が解決しようとする課題】
【０００３】  しかしながら、上記従来の雨検知による雨避け装置は、複雑な構造と大型で重量もあり、簡易的な着脱、持ち運びは困難であった。また、設置する場合、専門的な大掛かりな工事が必要という問題があった。
【課題を解決するための手段】
【０００４】  本考案は、物干し台の近傍の雨のあたる所に雨検知用のセンサー部を設置し、物干し台に、折り畳み式骨組みと雨避けシートとシート巻き上げ紐を制御する本体部を設置する。降雨時に雨検知をして、雨避けシートを自動的に広げることで物干しに干されている洗濯物等を保護することになる。さらに、折り畳み式骨組み、雨避けシートを組立式にすることにより、簡易的な着脱、持ち運びができ、専門的な工事が不要となり、従来の問題を解決させるものである。
【考案を実施するための最良の形態】
【０００５】  ２本の金属線を接触しないよう平行に巻きセンサー部を構成する。また、物干し台に設置する折り畳み式の骨組み、雨避けシート、シート巻き上げ紐を制御する本体部で構成する。設置されたセンサー部に雨が付着すると、２本の金属線間の抵抗値が変化し、本体部はセンサー部の抵抗値の変化から降雨を判定する。本体部は降雨判定と共に、ロール状に巻いたシートを止めているシート巻き上げ紐を緩めることで、シートが自然落下して広がり、物干しに干された洗濯物等を雨から保護させるものである。
【実施例】
【０００６】  図１は本考案の実施例である降雨検知雨避け装置の概略外観（収納時）を示すものである。図１において、１はセンサー部、２は本体部、３は折り畳み式骨組み、４は骨組み固定金具、５は雨避けシート、６はシート巻き上げ紐、７は物干しである。【０００７】  図２は本考案の実施例である降雨検知雨避け装置の概略外観（作動時）を示すものである。図２において、１はセンサー部、２は本体部、３は折り畳み式骨組み、４は骨組み固定金具、５は雨避けシート、６はシート巻き上げ紐、７は物干しである。【０００８】  図３は本考案の実施例である降雨検知雨避け装置の構成概略ブロック図を示すものである。図３において、１１はＣＰＵ回路、１２は抵抗変化検知回路、１３はドライブ回路、１４はプランジャー、１５は紐止め金具、１６は電圧監視回路、１７はバッテリー、１はセンサー部、２は本体部、５は雨避けシート、６はシート巻き上げ紐である。【０００９】  図４は本考案の実施例である降雨検知雨避け装置の雨避けシートを示すものである。図４において、２１ａはシート芯棒Ａ、２１ｂはシート芯棒Ｂ、２２はシート、２３ａはシート支えＡ、２３ｂシート支えＢ、２４は紐支え、２５は紐支え用ナット、６はシート巻き上げ紐である。【００１０】  図５は本考案の実施例である降雨検知雨避け装置の折り畳み式骨組みを示すものである。図５において、３１ａはシートガイドＡ、３１ｂはシートガイドＢ、３２ａはシートガイドストッパーＡ、３２ｂはシートガイドストッパーＢ、３３はポールである。【００１１】  次に上記実施例の動作について説明する。図１において実施例のセンサー部１を物干し台７の近傍の雨のあたる所に設置する。次に、ポール３３にシートガイドＡ３１ａ、シートガイドＢ３１ｂを取り付け、シートガイドストッパーＡ３２ａ、シートガイドストッパーＢ３２ｂで固定する。この折り畳み式骨組み３を骨組み固定金具４で物干し台７に取り付ける。さらに、シート芯棒Ａ２１ａ、シート芯棒Ｂ２１ｂを繋ぎ合わせ、シート２２の裾部分に固定し、シート２２をロール状に巻き上げる。また、シート支えＡ２３ａ、シート支えＢ２３ｂも繋ぎ合わせて、紐支え２４を紐支え用ナット２５で固定しシート巻き上げ紐６を通し、ロール状に巻いたシート２２を２本取り付ける。この雨避けシート５を折り畳み式骨組み３の上に設置する。また、物干し台７の中央部にシート巻き上げ紐６を制御する本体部２を取り付ける。【００１２】  設置されたセンサー部１に雨が付着すると、センサー部１の金属線間の抵抗値が変化し、本体部２の抵抗変化検知回路１２で抵抗の変化を検知して、ＣＰＵ回路に検知信号が送られる。ＣＰＵ回路は抵抗変化の検知信号を受けて、降雨を判定する。その後、本体部２はドライブ回路１３にプランジャー１４を作動させる信号を送り、プランジャー１４が紐止め金具１５動かし、シート巻き上げ紐６を緩める。雨避けシート５はシート巻き上げ紐６が緩められたことで、ロール状に巻かれたシート２２がシート芯棒Ａ２１ａ、シート芯棒Ｂ２１ｂの自重で転がりながら広がり、物干し台７に干された洗濯物等を雨から保護させるものである。
【考案の効果】
【００１３】  本考案は上記実施例より明らかなように、物干し台の近傍の雨のあたる所に雨検知用のセンサー部を設置し、物干し台に、折り畳み式骨組みと雨避けシートとシート巻き上げ紐を制御する本体部を設置する。降雨検知をして、雨避けシートを自動的に広げることで物干しに干されている洗濯物等を保護する効果を有する。さらに、折り畳み式骨組み、雨避けシートを組立式にすることにより、簡易的な着脱、持ち運びができるようなっているため、専門的な工事を必要とする問題もなくなる効果を有する。
【図面の簡単な説明】
【図１】  本考案の実施例の降雨検知雨避け装置の概略外観図（収納時）。
【図２】  本考案の実施例の降雨検知雨避け装置の概略外観図（作動時）。
【図３】  本考案の実施例の降雨検知雨避け装置の概略ブロック図。
【図４】  本考案の実施例の降雨検知雨避け装置の雨避けシート部
【図５】  本考案の実施例の降雨検知雨避け装置の折り畳み式骨組み
【符号の説明】
１          センサー部
２          本体部
３          折り畳み式骨組み
４          骨組み固定金具
５          雨避けシート
６          シート巻き上げ紐
７          物干し台
１１        ＣＰＵ回路
１２        抵抗変化検知回路
１３        ドライブ回路
１４        プランジャー
１５        紐止め金具
１６        電圧監視回路
１７        バッテリー
２１ａ      シート芯棒Ａ
２１ｂ      シート芯棒Ｂ
２２        シート
２３ａ      シート支えＡ
２３ｂ      シート支えＢ
２４        紐支え
２５        紐支え用ナット
３１ａ      シートガイドＡ
３１ｂ      シートガイドＢ
３２ａ      シートガイドストッパーＡ
３２ｂ      シートガイドストッパーＢ
３３        ポール
【図１】
0003111355.tif 000003
【図２】
0003111355.tif 000004
【図３】
0003111355.tif 000005
【図４】
0003111355.tif 000006
【図５】
0003111355.tif 000007
【手続補正書】
【提出日】平成16年11月12日(2004.11.12)
【手続補正１】
【補正対象書類名】実用新案登録請求の範囲
【補正対象項目名】全文
【補正方法】変更
【補正の内容】
【実用新案登録請求の範囲】
【請求項１】
本考案は、水滴を検知するために２本の金属線を単一乾電池大の絶縁材に巻き付けた構造のセンサー部と、物干し竿大のロール状に巻いた雨避けシート、ハンガーと同様の形状のシートを支える折り畳み式骨組み、重箱大のケースに入ったシート制御器からなる本体部で構成される。センサー部は物干し台の近傍の雨の当たる所に設置し、本体部は物干し台に取り付け、降雨時にセンサー部で水滴を検知して、本体部のシート制御器がロール状に巻いた雨避けシートの止めを緩めることで、シートが自然落下して広がり、物干し台に干された洗濯物をシートが覆うことで、雨に濡ないようにした簡易型の降雨検知雨避け装置。
【手続補正書】
【提出日】平成17年3月25日(2005.3.25)
【手続補正１】
【補正対象書類名】実用新案登録請求の範囲
【補正対象項目名】全文
【補正方法】変更
【補正の内容】
【実用新案登録請求の範囲】
【請求項１】
本考案において、
（１）物干し台の近傍に置き雨滴の付着を検出する単一乾電池大のセンサー部。
（２）物干し台に取り付け、干された洗濯物を覆うための雨避けシート
（３）通常は、前記雨避けシートをロール状に巻いて止めておくシート巻き上げ紐。
（４）物干し台に取り付け、前記雨避けシートがスムーズに転がるための折り畳み式の骨組み。
（５）前記センサー部の雨滴付着信号を処理、降雨と判定した時には、前記雨避けシートの前記シート巻き上げ紐を緩めて、前記雨避けシートが前記折り畳み式の骨組みの上を自然落下して広がるように制御をするシート制御器。
からなる簡易型の降雨検知雨避け装置。
【手続補正２】
【補正対象書類名】明細書
【補正対象項目名】全文
【補正方法】変更
【補正の内容】
【考案の詳細な説明】
【考案の詳細な説明】
【技術分野】
【０００１】  本考案は、庭先、ベランダ、屋上に置かれた物干し台に干された洗濯物等の降雨検知による雨濡れ防止に関する。
【背景技術】
【０００２】  従来、降雨検知による雨避け装置で、一般家庭の物干し台に取り付けて使用する簡易的な雨避け装置はなく、大掛かりな農業用の温室や、住宅の窓の開閉のための装置だけであった。
【考案が解決しようとする課題】
【０００３】  しかしながら、上記従来の雨検知による雨避け装置は、複雑な構造と大型で重量もあり、簡易的な着脱、持ち運びは困難であった。また、設置する場合も、専門的な大掛かりな工事が必要という問題があった。
【課題を解決するための手段】
【０００４】  本考案は、物干し台の近傍の雨のあたる所に雨滴検知用のセンサー部を設置し、物干し台に雨避けシート、シート巻き上げ紐、折り畳み式骨組み、シート制御器を取り付ける。降雨時にセンサー部に雨滴が付着すると、シート制御器がセンサー部からの信号を処理し、降雨と判定する。降雨判定でシート制御器は、ロール状に巻いた雨避けシートのシート巻き上げ紐を緩め、雨避けシートの自重で折り畳み式の骨組みの上を自然落下して広がり、物干しに干されている洗濯物等を自動的に雨から保護する。さらに、構成品のセンサー部、折り畳み式骨組み、雨避けシート、シート巻き上げ紐、シート制御器が分離できることにより、簡易的な着脱、持ち運びができ、専門的な工事が不要となり、従来の問題を解決させるものである。
【考案の実施するための最良の形態】
【０００５】  単一乾電池大の絶縁材に２本の金属線を平行に巻き付けたセンサー部。物干し台に取り付け、転がって広がり洗濯物を覆うようにロール状に巻いた雨避けシート。雨避けシートをロール状に巻いて止めておくシート巻き上げ紐。物干し台に取り付け、雨避けシートがスムーズに転がるための折り畳み式の骨組み。センサー部の２本の金属線間の抵抗変化検知回路、降雨判定をするＣＰＵ回路、プランジャー、及び、そのドライブ回路からなるシート制御器。以上、５つのブロックで構成される。センサー部の２本の金属線間に雨滴が付着すると、金属線間の抵抗値が変化する。この変化をシート制御器の抵抗変化検知回路で検知し、ＣＰＵ回路で降雨と判定し、シート制御器のドライブ回路でプランジャーを動かし、止められていた雨避けシートのシート巻き上げ紐を緩め、ロール状に巻かれた雨避けシートを折り畳み式の骨組みの上で自然落下させて広げ、洗濯物を覆うようにして雨から保護するものである。
【実施例】
【０００６】  図１は本考案の実施例である降雨検知雨避け装置の概略外観（収納時）を示すものである。図１において、１はセンサー部、２はシート制御器、３は折り畳み式骨組み、４は骨組み固定金具、５は雨避けシート、６はシート巻き上げ紐、７は物干し台である。【０００７】  図２は本考案の実施例である降雨検知雨避け装置の概略外観（作動時）を示すものである。図２において、１はセンサー部、２はシート制御器、３は折り畳み式骨組み、４は骨組み固定金具、５は雨避けシート、６はシート巻き上げ紐、７は物干し台である。【０００８】  図３は本考案の実施例である降雨検知雨避け装置の構成概略ブロック図を示すものである。図３において、１１はＣＰＵ回路、１２は抵抗変化検知回路、１３はドライブ回路、１４はプランジャー、１５は紐止め金具、１６は電圧監視回路、１７はバッテリー、１はセンサー部、２はシート制御器、５は雨避けシート、６はシート巻き上げ紐である。【０００９】  次に上記実施例の動作について説明する。図１において実施例のセンサー部１を物干し台７の近傍の雨のあたる所に設置する。次に、折り畳み式骨組み３を骨組み固定金具４で物干し台７に取り付ける。さらに、雨避けシート５にシート巻き上げ紐６を通し、この雨避けシート５を折り畳み式骨組み３の上に設置する。また、物干し台７の中央部にシート制御器２を取り付け、シート巻き上げ紐６の端をシート制御器２に取り付ける。【００１０】  設置されたセンサー部１に雨が付着すると、センサー部１の金属線間の抵抗値が変化し、シート制御器２の抵抗変化検知回路１２で抵抗の変化を検知して、ＣＰＵ回路に検知信号が送られる。ＣＰＵ回路は抵抗変化の検知信号を受けて、降雨を判定する。その後、シート制御器２はドライブ回路１３にプランジャー１４を作動させる信号を送り、プランジャー１４が紐止め金具１５動かし、シート巻き上げ紐６を緩める。ロール状に巻かれた雨避けシート５はシート巻き上げ紐６が緩められたことで自重で転がりながら広がり、物干し台７に干された洗濯物等を雨から保護させるものである。
【考案の効果】
【００１１】  本考案は上記実施例より明らかなように、物干し台の近傍の雨のあたる所に本装置の構成品の雨検知用のセンサー部を設置し、物干し台には、同じく構成品の雨避けシート、シート巻き上げ紐、折り畳み式骨組み、シート制御器を設置する。降雨を検知して、雨避けシートが自動的に広がることで物干しに干されている洗濯物等を雨から保護する効果を有する。さらに、センサー部、雨避けシート、シート巻き上げ紐、折り畳み式骨組み、シート制御器がそれぞれ分離構成されていることにより、簡易的な着脱、持ち運びができるようなり、専門的な工事を必要とする問題もなくなる効果を有する。
【図面の簡単な説明】
【図１】本考案の実施例の降雨検知雨避け装置の概略外観図（収納時）。
【図２】本考案の実施例の降雨検知雨避け装置の概略外観図（作動時）。
【図３】本考案の実施例の降雨検知雨避け装置の概略ブロック図。
【符号の説明】
１          センサー部
２          シート制御器
３          折り畳み式骨組み
４          骨組み固定金具
５          雨避けシート
６          シート巻き上げ紐
７          物干し台
１１        ＣＰＵ回路
１２        抵抗変化検知回路
１３        ドライブ回路
１４        プランジャー
１５        紐止め金具
１６        電圧監視回路
１７        バッテリー
【手続補正３】
【補正対象書類名】図面
【補正対象項目名】図４
【補正方法】削除
【補正の内容】
【手続補正４】
【補正対象書類名】図面
【補正対象項目名】図５
【補正方法】削除
【補正の内容】